(57)【要約】【課題】布設時におけるケーブルの損傷を防止するとともに、円滑にケーブルピットにケーブルを布設することができるケーブル取替器具を提供すること。【解決手段】電気機器に接続された複数のケーブルを収納する溝内のケーブルを取り替えるケーブル取替器具１であって、細長い底板１０と、前記底板１０の長手方向の一辺から立ち上がる側壁１１と、複数のローラーが各ローラーの外周面で相互に隣接するように連結され、各ローラーの軸が前記側壁１１の長手方向を向いた状態で、一端に位置するローラーが前記側壁１１に固定されるローラー群１２と、前記側壁１１に対向する面を形成するとともに、前記底板１０に着脱可能であり、前記ローラー群１２のうち他端側に位置するローラーを離間可能に支持する支持部１３と、を備えるケーブル取替器具１。【選択図】図６
2019193381.tif 000002
【特許請求の範囲】
【請求項１】
電気機器に接続された複数のケーブルを収納する溝内のケーブルを取り替えるケーブル取替器具であって、
細長い底板と、
前記底板の長手方向の一辺から立ち上がる側壁と、
複数のローラーが各ローラーの外周面で相互に隣接するように連結され、各ローラーの軸が前記側壁の長手方向を向いた状態で、一端に位置するローラーが前記側壁に固定されるローラー群と、
前記側壁に対向する面を形成するとともに、前記底板に着脱可能であり、前記ローラー群のうち他端側に位置するローラーを離間可能に支持する支持部と、を備えるケーブル取替器具。
【請求項２】
前記ローラー群は、前記一端に位置するローラーが前記側壁の上縁部に固定され、前記支持部が前記底板に取り付けられた状態で、ローラーの軸方向で見て、前記側壁の上縁部から前記底板の側縁部にかけて円弧状に保持される請求項１に記載のケーブル取替器具。
【請求項３】
前記支持部は、上面に前記底板の長手方向にケーブルを案内するガイド部を備え、
前記ガイド部は、所定の間隔を置いて並設される請求項１又は２に記載のケーブル取替器具。
【請求項４】
前記支持部は、平板状であり、かつ、下面に所定の間隔をおいて並設される突部を有し、
前記底板は、上面に前記突部が嵌合する嵌合穴を有する請求項１から３のいずれかに記載のケーブル取替器具。
【請求項５】
前記支持部は、柱状であり、
前記底板は、上面に前記柱状の支持部が嵌合する嵌合穴を有する請求項１から３のいずれかに記載のケーブル取替器具。
【請求項６】
前記底板は、下面に前記底板と設置面とを固定する固定具を備える請求項１から５のいずれかに記載のケーブル取替器具。
【発明の詳細な説明】
【技術分野】
【０００１】
本発明は、ケーブル取替器具に関する。
【背景技術】
【０００２】
複数のケーブルが接続された配電盤等の電気機器の取替えに伴って、床や地面等に設けられた溝状のケーブルピットに布設された多数のケーブルを取り替えることがある。この種のケーブル取替器具について記載されているものとして例えば特許文献１がある。特許文献１には、ケーブル延線金具の支持部内でケーブルを延線させた後、駆動モーターによりケーブルトレイへ落下させることでケーブルを布設することができるケーブル取替器具が開示されている。
【先行技術文献】
【特許文献】
【０００３】
【特許文献１】実開平５−８８１２６号公報
【発明の概要】
【発明が解決しようとする課題】
【０００４】
ところで、配電盤ケーブルの取替方法として、新設される配電盤に接続される新設分のケーブルを布設後、不要なケーブルをケーブルピットから撤去する方法、又は不要なケーブルをケーブルピットから撤去後、新設分のケーブルを布設する方法が採られている。先に新設分のケーブルを布設する方法では、ケーブルピット内に新旧ケーブルが混在することになるため、ケーブルの撤去に時間と労力がかかる。一方、先に不要なケーブルをケーブルピットから撤去する方法では、新旧ケーブルが混在することはないが、ケーブルを布設するまで長期間システムを停電させることになるという欠点がある。このため、ケーブルを撤去する前に、予め新設分のケーブルをケーブルピットの近傍の床又は地面に延線する方法が採られている。
【０００５】
この点、特許文献１に開示されているケーブル取替器具において、ケーブルトレイへの布設を目的としており、ケーブルピットの上方にケーブル取替器具を取り付けるためのケーブルトレイを支持する支持体、ダクト等の既存設備が必要であり、設置場所は制限されてしまう。
【０００６】
上述したケーブルをケーブルピットの近傍の床又は地面に延線する方法では、床又は地面に延線された複数のケーブルをケーブルピットに納める必要があり、ケーブルを納める時間及び労力がかかる。また、布設時に、ケーブルが床若しくは地面に擦れ又はケーブルピットの角等の鋭角部に接触することにより損傷する場合もある。
【０００７】
本発明は上記に鑑みてなされたものであり、布設時におけるケーブルの損傷を防止するとともに、円滑にケーブルピットにケーブルを布設することができるケーブル取替器具を提供することを目的とする。
【課題を解決するための手段】
【０００８】
本発明は、電気機器に接続された複数のケーブルを収納する溝内のケーブルを取り替えるケーブル取替器具であって、細長い底板と、前記底板の長手方向の一辺から立ち上がる側壁と、複数のローラーが各ローラーの外周面で相互に隣接するように連結され、各ローラーの軸が前記側壁の長手方向を向いた状態で、一端に位置するローラーが前記側壁に固定されるローラー群と、前記側壁に対向する面を形成するとともに、前記底板に着脱可能であり、前記ローラー群のうち他端側に位置するローラーを離間可能に支持する支持部と、を備えるケーブル取替器具に関する。
【０００９】
前記ローラー群は、前記一端に位置するローラーが前記側壁の上縁部に固定され、前記支持部が前記底板に取り付けられた状態で、ローラーの軸方向で見て、前記側壁の上縁部から前記底板の側縁部にかけて円弧状に保持されることが好ましい。
【００１０】
前記支持部は、上面に前記底板の長手方向にケーブルを案内するガイド部を備え、前記ガイド部は、所定の間隔を置いて並設されることが好ましい。
【００１１】
前記支持部は、平板状であり、かつ、下面に所定の間隔をおいて並設される突部を有し、前記底板は、上面に前記突部が嵌合する嵌合穴を有してもよい。
【００１２】
前記支持部は、柱状であり、前記底板は、上面に前記柱状の支持部が嵌合する嵌合穴を有してもよい。
【００１３】
前記底板は、下面に前記底板と設置面とを固定する固定具を備えることが好ましい。
【発明の効果】
【００１４】
本発明によれば、布設時におけるケーブルの損傷を防止するとともに、円滑にケーブルピットにケーブルを布設することができるケーブル取替器具を提供することができる。
【図面の簡単な説明】
【００１５】
【図１】本発明の一実施形態に係るケーブル取替器具を示す斜視図である。
【図２】本発明の一実施形態に係るケーブル取替器具を示す正面図である。
【図３】本発明の一実施形態に係るケーブル取替器具を示す平面図である。
【図４】配電盤ケーブルの取替時における本発明の一実施形態に係るケーブル取替器具の配置を示す配置図である。
【図５Ａ】本発明の一実施形態に係るケーブル取替器具の固定具を示す拡大図である。
【図５Ｂ】本発明の一実施形態に係るケーブル取替器具の固定具を示す拡大図である。
【図６】本発明の一実施形態に係るケーブル取替器具を示す側面図である。
【図７】ケーブルピットに沿って本発明の一実施形態に係るケーブル取替器具を配置する場合のケーブル取替えの態様を示す側面図である。
【図８】ケーブルピットの上部に本発明の一実施形態に係るケーブル取替器具を配置する場合のケーブル取替えの態様を示す側面図である。
【図９】本発明の変形例に係るケーブル取替器具を示す斜視図である。
【発明を実施するための形態】
【００１６】
以下、本発明の実施形態について、図面を参照しながら説明する。
【００１７】
まず、本発明の一実施形態に係るケーブル取替器具である仮設用ケーブルピットについて説明する。
図１は本実施形態に係るケーブル取替器具１の斜視図、図２は該ケーブル取替器具１の正面図、図３は該ケーブル取替器具１の平面図である。
【００１８】
図１から図３に示すように、ケーブル取替器具１は、全体として、両端及び上面が開放された箱形状である。ケーブル取替器具１は、底板１０、側壁１１、ローラー群１２、支持部１３、ガイド部１４、及び土台部１５を備える仮設用ケーブルピットである。
【００１９】
底板１０は、細長い形状であり、ケーブル取替器具１の底面を形成する。側壁１１は、底板１０の長手方向の一辺から立ち上がり、底板１０に一体形成されている。
【００２０】
ローラー群１２は、相互に連結された複数のローラーにより構成される。複数のローラーは、各ローラーの軸が前記側壁の長手方向を向いた状態で、各ローラーの外周面で相互に隣接するように連結される。また、ローラー群１２は、固定ローラー群１２ａと可動ローラー群１２ｂとを含む。固定ローラー群１２ａは、一端に位置するローラーが側壁１１の上縁部に固定され、他端に位置するローラーが底板１０の側壁１１と反対側の側縁部に固定されることにより、ローラーの軸方向で見て、円弧状に保持される複数のローラーからなる。可動ローラー群１２ｂは、上記他端に位置するローラーから上方に向かって並列される複数のローラーからなる。
【００２１】
支持部１３は、可動ローラー群１２ｂが前記底板１０から上方に向かって並列されるように離間可能に支持する平板状の支持部である。支持部１３は、前記底板１０の側面に当接され、前記側壁１１に対向する面を形成する。また、支持部１３は、後述する土台部１５に着脱可能である。支持部１３が土台部１５から取り外されて、支持を失った可動ローラー群１２ｂが支持部１３から離間することで垂れ下がる。
【００２２】
ガイド部１４は、支持部１３の上面に所定の間隔をおいて並設されている。ガイド部１４により、ケーブルはケーブル取替器具１の長手方向に案内される。本実施形態に係るガイド部１４は、軸がケーブル取替器具１の短手方向に平行になるように設置されたローラー１４ａを有する。ガイド部１４としては、ケーブル取替器具１の長手方向にケーブルを案内できれば、特に制限はなく、例えば、ローラーのないリング状のガイド部であっても、ケーブル取替器具１の長手方向に延びるレールであってもよい。
【００２３】
土台部１５は、ケーブル取替器具１の土台であり、下面が設置面と接触する。土台部１５の上面には、底板１０が接合されている。
【００２４】
図２に示すように、支持部１３は、下面に所定の間隔をおいて並設される突部１３ａを備える。一方、土台部１５は、突部１３ａに嵌合する嵌合穴１５ａを上面に備える。突部１３ａが嵌合穴１５ａに挿入されると、支持部１３は土台部１５に対して垂直に起立した状態で係止される。また、突部１３ａが嵌合穴１５ａから引き抜かれると、支持部１３は土台部１５から分離される。なお、突部１３ａ及び嵌合穴１５ａの数は、特に制限されず、例えば、２箇所であっても、３箇所であってもよい。
【００２５】
ケーブル取替器具１のサイズは、特に制限されないが、容易に運搬可能であることが好ましく、例えば、長手寸法が８０ｍｍ〜２００ｍｍ、短手寸法が３０ｍｍ〜８０ｍｍ、高さが５０ｍｍ〜１５０ｍｍであってもよい。ケーブル取替器具１の材質についても、特に制限されないが、容易に運搬可能であることが好ましく、例えば、樹脂製であることが好ましい。
【００２６】
次に、本実施形態に係るケーブル取替器具１を用いた配電盤ケーブルの取替方法について説明する。
ここで、本明細書において、旧配電盤とは取替対象である既設の配電盤をいい、新配電盤とは旧配電盤に替わって新設される配電盤をいう。また、既設ケーブルとは、旧配電盤に接続されたケーブルをいい、新設ケーブルとは、新配電盤に接続されるケーブルをいう。
【００２７】
図４は、配電盤ケーブルの取替作業前のケーブル取替器具１の配置を示す配置図である。図４に示すように、床２に形成された溝状のケーブルピット３に、複数の既設ケーブル４が旧配電盤（図示せず）に接続された状態で布設されている。
【００２８】
図４のように、ケーブル取替器具１は、ケーブルピット３に沿って配置される。ケーブルピット３の長さに合わせた台数のケーブル取替器具１が並置される。このとき、ケーブル取替器具１は、支持部１３がケーブルピット３からみて、手前になり、かつ、各ケーブル取替器具１の開放された両端が相互に当接するように並置される。上述したように、ケーブル取替器具１は軽量かつ持ち運び可能なサイズであるため、ケーブルピット３に沿って、容易に配置することができる。
【００２９】
図５Ａ及び図５Ｂに示すように、土台部１５は、支持部１３側の下面に、ケーブル取替器具１が動かないように設置面に固定するための固定具１６を備える。固定具１６の種類については、ケーブル取替器具１を固定できれば特に限定されないが、設置場所によって適したものを選択することが好ましい。例えば、図４のようにケーブル取替器具１を床２の上に配置する場合、固定具１６は図５Ａのような吸盤１６ａであってもよい。ケーブル取替器具１を地面の上に配置する場合、固定具１６は図５Ｂのような杭１６ｂであってもよい。
【００３０】
ケーブル取替器具１を配置した後、新配電盤（図示せず）用の新設ケーブル５を延線する。延線の手順として、まず、一端に配置されたケーブル取替器具１のガイド部１４の上に新設ケーブル５を引き込む。次に、支持部１３上に並設されたガイド部１４を辿りながら、新設ケーブル５を他端に配置されたケーブル取替器具１のガイド部１４まで引っ張る。このとき、ガイド部１４のローラー１４ａが新設ケーブル５をケーブル取替器具１の長手方向に案内するように転がるため、新設ケーブル５をスムーズに引っ張ることができ、延線作業が容易になる。そして、図６に示すように、延線されたガイド部１４上の新設ケーブル５を、ケーブル取替器具１のローラー群１２上に投入する。図６は、ケーブル取替器具１の長手方向から見たケーブル取替器具１の側面図である。上記の手順を繰り返すことにより、布設に必要な本数の延線された新設ケーブル５が、ケーブル取替器具１に収納される。
【００３１】
上記の手順で布設に必要な本数の新設ケーブル５をケーブル取替器具１に収納した後、旧配電盤から既設ケーブル４が抜き取られ、旧配電盤が撤去され、新配電盤が設置される。
【００３２】
ケーブル取替器具１のローラー群１２上に仮置きされている新設ケーブル５が、新配電盤に接続される。このとき、新配電盤とケーブル取替器具１との間の新設ケーブル５の長さに適当な遊びを持たせる必要がある。後述するケーブルピット３への布設時に、ケーブルの長さが足りず布設できなくなる事態を避けるためである。
【００３３】
既設ケーブル４がケーブルピット３から撤去される。新設ケーブル５がケーブルピット３に布設される前に、既設ケーブル４が撤去されるため、ケーブルピット３に新旧ケーブルが混在することなく、容易にケーブルを撤去することができる。
【００３４】
図７は、ケーブルピット３に沿って配置されたケーブル取替器具１内の新設ケーブル５が、ケーブルピット３に布設される態様を示している。布設前の新設ケーブル５は破線で記載されている。
【００３５】
図７に示すように、土台部１５から支持部１３が取り外されると、支持部１３によって底板１０から上方に向かって並列されていた可動ローラー群１２ｂが、支持を失うことにより、ケーブルピット３に向かって送り出される。このとき、ケーブルピット３の側壁の上部が、可動ローラー群１２ｂに覆われる。続いて、固定ローラー群１２ａ上の新設ケーブル５が、ローラー群１２上を滑りながら、ケーブルピット３へ送り出されケーブルの布設が完了する。なお、土台部１５から支持部１３が取り外されても、ケーブル取替器具１の長手方向からの側面視における固定ローラー群１２ａの円弧状の配列は保持される。
【００３６】
固定ローラー群１２ａは、ケーブルピット３に向かって円弧状に下り傾斜を形成するように保持されているため、新設ケーブル５をケーブル取替器具１から円滑に送り出すことができる。また、可動ローラー群１２ｂが、ケーブルピット３の角等の鋭角部を覆うことにより、ケーブルを保護しながら布設できる。
【００３７】
図８は、ケーブルピット３の上部に配置されたケーブル取替器具１内の新設ケーブル５が、ケーブルピット３に布設される態様を示す側面図である。布設作業開始前のケーブル取替器具１は破線で記載されている。ケーブルピット３の周辺のスペースが限られている狭隘な場所においては、図８のようにケーブルピット３の上部に溝板１７を敷き、その上にケーブル取替器具１を配置することによって設置場所を確保することもできる。
【００３８】
ケーブル布設作業時には、ケーブル取替器具１はケーブルピット３の横に移動される。そして、上述したケーブルピット３に沿ってケーブル取替器具１を配置する場合と同様の工程により新設ケーブル５が布設される。
【００３９】
ここで、本実施形態の変形例について図９を参照して説明する。図９は、本実施形態の変形例に係るケーブル取替器具１を示す斜視図である。図９に示すように、本変形例では、ケーブル取替器具１の支持部の形状のみが上記実施形態と異なっている。上記実施形態の支持部１３が平板状であるのに対して、本変形例の支持部１８は柱状である。支持部１３の場合と同様に、支持部１８により、可動ローラー群１２ｂは底板１０から上方に向かって並列されるように支持されている。支持部１８の本数は、特に制限されず、例えば、２本であっても、３本であってもよい。
【００４０】
一方、本変形例の支持部１８は、土台部１５の嵌合穴１５ａに嵌合する。支持部１８が嵌合穴１５ａに挿入されると、支持部１８は土台部１５に対して垂直に起立した状態で係止される。また、支持部１８が嵌合穴１５ａから引き抜かれると、支持部１８は土台部１５から分離される。
【００４１】
土台部１５の嵌合穴１５ａは、支持部１３の突部１３ａと支持部１８との両方に嵌合するため、配電盤の取替えに必要な新設ケーブル５の本数に応じて、支持部の切替えが可能となる。例えば、新設ケーブル５の本数が少ない場合は、ケーブル取替器具１を軽量化するために柱状の支持部１８を選択することができ、本数が多い場合は、耐荷重性を高めるために平板状の支持部１３を選択することができる。
【００４２】
その他の変形例として、本実施形態及び本変形例に係るケーブル取替器具１は、土台部１５を備えるが、土台部１５を備えず、底板１０が直接、設置面と接触する構造であってもよい。土台部１５が備わっていないケーブル取替器具１において、支持部１３又は支持部１８は、底板１０の側面に当接されるのではなく、上面に当接される。底板１０の上面の側縁部には、突部１３ａ及び支持部１８に嵌合する嵌合穴が設けられる。このため、上述した土台部１５に対する場合と同様に、突部１３ａ又は支持部１８が嵌合穴に挿入されると、支持部１３又は支持部１８は底板１０に対して垂直に起立した状態で係止される。また、支持部１３又は支持部１８が嵌合穴から引き抜かれると、支持部１３又は支持部１８は底板１０から分離される。
【００４３】
また、土台部１５を備えず、底板１０が直接、設置面と接触する上記変形例に係るケーブル取替器具１は、底板１０の支持部１３又は支持部１８側の下面に固定具１６を備えてもよい。
【００４４】
以上説明した実施形態又は変形例に係るケーブル取替器具１によれば、以下のような効果を奏する。
【００４５】
ケーブル取替器具１は、底板１０と、側壁１１と、複数のローラーが各ローラーの外周面で相互に隣接するように連結され、各ローラーの軸が側壁１１の長手方向を向いた状態で、一端に位置するローラーが前記側壁に固定されるローラー群１２と、底板１０に着脱可能であり、ローラー群１２のうち他端側に位置するローラーを離間可能に支持する支持部１３又は支持部１８と、を備える。
【００４６】
上記構造を有するケーブル取替器具１が、ケーブルピット３に近接して配置され、延線した複数の新設ケーブル５が、ローラー群１２上に収納される。そして、底板１０から支持部１３又は支持部１８が取り外されることで、ローラー群１２の一部がケーブルピット３に送り出され、複数の新設ケーブル５がローラー群１２上を滑りながら、ケーブルピット３へ送り出される。したがって、延線した状態の複数の新設ケーブル５が、一度にケーブルピット３に向かって送り出されるため、ケーブルの布設が容易になる。
【００４７】
また、支持部１３又は支持部１８が外されることで、ケーブルピット３に向かって送り出されたローラー群１２の一部が、ケーブルピット３の角等の鋭角部を覆う。その上を新設ケーブル５が滑り出ることになるので、ケーブルを損傷させずにケーブルピット３へ布設することができる。
【００４８】
固定ローラー群１２ａは、側壁１１の上縁部から支持部１３側の底板１０にかけて円弧状に下り傾斜を形成するように保持されている。
【００４９】
これにより、支持部１３を取り外すとケーブルピット３に向かって、固定ローラー群１２ａ上に収納された新設ケーブル５が自重により滑り落ちるため、円滑にケーブルピット３へケーブルを布設することができる。
【００５０】
支持部１３及び支持部１８には、底板１０の長手方向にケーブルを案内するガイド部１４が上面に所定の間隔を置いて並設されている。
【００５１】
これにより、新設ケーブル５をスムーズに引っ張ることができ、ケーブルの延線作業が容易になる。
【００５２】
平板状である支持部１３は、耐荷重性を有するため、より多くのケーブルをケーブル取替器具１に収納することができる。
【００５３】
支持部１８は、柱状であるため、ケーブル取替器具１を軽量化することができる。
【００５４】
底板１０又は土台部１５は、下面に設置面とケーブル取替器具１を固定する固定具１６を備える。
これにより、ケーブル延線作業時、布設作業時等にケーブル取替器具１が動かないよう固定することができる。
【００５５】
以上、本発明の実施形態について説明したが、本発明は、上述の実施形態や変形例に制限されるものではなく、適宜変更が可能である。
【符号の説明】
【００５６】
１  ケーブル取替器具
２  床
３  ケーブルピット
４  既設ケーブル
５  新設ケーブル
１０  底板
１１  側壁
１２  ローラー群
１２ａ  固定ローラー群
１２ｂ  可動ローラー群
１３  支持部
１３ａ  突部
１４  ガイド部
１４ａ  ローラー
１５  土台部
１５ａ  嵌合穴
１６  固定具
１６ａ  吸盤
１６ｂ  杭
１７  溝板
１８  支持部
【図１】
2019193381.tif 000003
【図２】
2019193381.tif 000004
【図３】
2019193381.tif 000005
【図４】
2019193381.tif 000006
【図５Ａ】
2019193381.tif 000007
【図５Ｂ】
2019193381.tif 000008
【図６】
2019193381.tif 000009
【図７】
2019193381.tif 000010
【図８】
2019193381.tif 000011
【図９】
2019193381.tif 000012